(57)【要約】【課題】プリンタの操作部材を最小限にして操作性を向上させる。【解決手段】プリント材料が内蔵されたカートリッジを着脱可能なプリンタであって、操作部材と、カートリッジが装着されたことを検出する検出手段と、検出手段により検出したカートリッジの装着状態に応じて、操作部材に割り付けられた機能を切換える操作部材切換手段とを有する。操作部材切換手段は、カートリッジが装着状態のときは、操作部材にプリント出力設定のための機能を割り付ける。【選択図】図４
2007196693.tif 000002
【特許請求の範囲】
【請求項１】
プリント材料が内蔵されたカートリッジを着脱可能なプリンタであって、
操作部材と、
前記カートリッジが装着されたことを検出する検出手段と、
前記検出手段により検出した前記カートリッジの装着状態に応じて、前記操作部材に割り付けられた機能を切換える操作部材切換手段とを有することを特徴とするプリンタ。
【請求項２】
前記操作部材切換手段は、前記カートリッジが装着状態のときは、前記操作部材にプリント出力設定のための機能を割り付けることを特徴とする請求項１に記載のプリンタ。
【請求項３】
前記プリント出力設定は、プリント出力サイズ設定、出力枚数設定のいずれかを含むことを特徴とする請求項２に記載のプリンタ。
【請求項４】
前記プリンタは、更に、撮影される被写界の光学像を電気信号に変換する撮像手段を有し、
前記操作部材切換手段は、前記カートリッジの装着状態に応じて、前記操作部材に、撮影設定、又は、プリント出力設定の機能を割り付けることを特徴とする請求項１に記載のプリンタ。
【請求項５】
前記プリンタは、更に、撮影される被写界の光学像を電気信号に変換する撮像手段と、
前記検出手段により検出した前記カートリッジの装着状態に応じて、前記撮像手段による撮影動作と、プリント手段によるプリント動作を切換える制御手段とを有することを特徴とする請求項１に記載のプリンタ。
【請求項６】
プリント材料が内蔵されたカートリッジを着脱可能なプリンタの制御方法であって、
検出手段により前記カートリッジが装着されたことを検出し、
検出した前記カートリッジの装着状態に応じて、操作部材に割り付けられた機能を切換えるように制御することを特徴とするプリンタの制御方法。
【発明の詳細な説明】
【技術分野】
【０００１】
本発明は、複合カメラの一種であるプリンタ付撮影装置、より具体的にはスチルカメラやビデオカメラと画像プリンタを一体的に構成した、プリント材料が内蔵されたカートリッジを着脱可能にしたプリンタに関するものである。
【背景技術】
【０００２】
従来から、カメラで撮影したその場で写真プリントを見たいという声があった。この要望に対応して、特許文献１−５等に示された装置や、同じく特許文献６に示されたフィルムカートリッジ等、いわゆるインスタントカメラ及びインスタントフィルムによって撮影後短い時間でプリントが鑑賞できるシステムが開示されている。
【０００３】
しかしながら、上記従来例の装置においては、以下のような問題点を有していた。
【０００４】
（１）撮影された瞬間の画像はすべてインスタントフィルム上に記録されるのみであり、特に複数枚のプリントを得ようとしても、インスタントフィルム上に形成された画像をコピーするしかなく、その原画の保存方法等で、銀塩フィルム等に比べて不便である。
【０００５】
（２）すべての撮影シーンがその場でプリントアウトする必要性が高いとは限らない。しかしインスタント写真ではその場ではプリントアウトはしないで後でまとめてプリントアウトするといったことができない。
【０００６】
このようなインスタント写真の欠点を補う方法として、固体撮像素子に撮像した画像情報をメモリに取り込んで、これを任意にプリントアウトするようにしたプリンタ付カメラが考えられる。
【０００７】
こうしたカラーの画像情報をプリントアウトするのに用いられるプリンタは一般的に、（ａ）溶融型熱転写プリンタ、（ｂ）昇華型熱転写プリンタ、（ｃ）インクジェット型プリンタ、等が適している。
【０００８】
この中でもインクジェット型プリンタはランニングコストや小型化、省電、出力スピード等に優れており、携帯性を必要とするプリンタ付カメラとして大変有効なものである。
【０００９】
一方、特許文献７、特許文献８等の装置においては、固体撮像素子等によって電気的に撮像した情報をプリントアウトするプリンタ付カメラが開示されている。又、特許文献９記載の装置において、数種のインクリボン及び数種の記録紙が装填可能なプリンタ内蔵カメラが開示されている。
【特許文献１】米国特許第3,709,122号明細書
【特許文献２】米国特許第3,727,529号明細書
【特許文献３】米国特許第4,000,500号明細書
【特許文献４】米国特許第4,249,811号明細書
【特許文献５】米国特許第4,212,524号明細書
【特許文献６】米国特許第3,707,116号明細書
【特許文献７】米国特許第4,074,324号明細書
【特許文献８】特開昭５４−１３６３２５号公報
【特許文献９】特開平４−２００１８１号公報
【特許文献１０】米国特許第4,723,129号明細書
【特許文献１１】米国特許第4,740,796号明細書
【特許文献１２】米国特許第4,463,359号明細書
【特許文献１３】米国特許第4,345,262号明細書
【特許文献１４】米国特許第4,313,124号明細書
【特許文献１５】米国特許第4,558,333号明細書
【特許文献１６】米国特許第4,459,600号明細書
【特許文献１７】特開昭５９−１２３６７０号公報
【特許文献１８】特開昭５９−１３８４６１号公報
【発明の開示】
【発明が解決しようとする課題】
【００１０】
しかしながら、上記従来例では静止画を撮影する装置と紙等の媒体に画像情報を出力するプリンタ装置を一体的に構成している。これによる操作性の複雑化を防止したり、装置の構成やコスト等使用者が簡単に意図した撮影及びプリント出力を行うのに十分な解決方法を与えるものではなかった。
【００１１】
いま、装置に搭載される消耗材料について考える。一般的に熱昇華型や熱転写型のプリンタにおいては、インクシートもしくはインクリボンと言われるインク成分を含む材料と、所望の画像を視認して保存するプリンタ用紙の２つを別々に装置に装着していた。
【００１２】
一方、インクジェット記録装置をプリンタ部に使用した場合も、インク水溶液のタンクユニット（印画ヘッドを併設する場合もある）と、プリンタ用紙を別々に装置に装着していた。
【００１３】
前記の一例として、特許文献９記載のプリンタ内蔵カメラにおいては、外部からプリンタ用紙を供給するようになっている。
【００１４】
しかし、撮影装置としての形態を考えた時、以下のような問題点を有していた。
【００１５】
（１）携帯機器である為に、電源として電池を用いることが主になるので、電源電池の交換作業が生じるが、更にインクタンクの交換作業、プリンタ用紙の補充作業といくつもの材料と作業が必要であり、そのため操作性が著しく悪い。
【００１６】
（２）消耗材料の各々を別々に扱っていると、インクタンクの交換時期とプリンタ用紙の補充時期又は電源電池の交換時期が必ずしも一致するとは限らないので、消耗材料の管理が煩雑になる。
【００１７】
そこで消耗材料をカートリッジユニットにしてプリンタ付撮影装置の本体に着脱できるようにすると操作性が著しく向上し大変有効である。
【００１８】
このような形態を考えた時、撮影作業に専念してプリントアウト作業は後で行おうとする場合、消耗材であるプリンタ用紙やインク等は装置本体から分離しておくと更に小型化されて便利である。
【００１９】
ここで、プリンタ付撮影装置の操作部材を考えると、一般的には撮影装置として必要な操作部材と、プリンタ装置として必要な操作部材の両方を有している。しかし、多くの操作部材を装置本体に配置するのは操作性が悪く、又小型化の妨げにもなるという問題点を有していた。
【００２０】
本発明は、上記のような問題点を考慮してなされたものであり、プリント材料が内蔵されたカートリッジを着脱可能としたとき、プリンタの操作部材を最小限にして操作性を向上させることを目的とする。
【課題を解決するための手段】
【００２１】
上記の目的を達成する為に、本発明によれば、プリント材料が内蔵されたカートリッジを着脱可能なプリンタであって、操作部材と、上記カートリッジが装着されたことを検出する検出手段と、前記検出手段により検出した前記カートリッジの装着状態に応じて、前記操作部材に割り付けられた機能を切換える操作部材切換手段とを有するようにしたものである。
【発明の効果】
【００２２】
本発明によれば、プリント材料が内蔵されたカートリッジを着脱可能なプリンタにおいて、カートリッジが装着されたことを検出し、カートリッジの装着状態に応じて、操作部材に割り付けられた機能を切換えている。これにより、カートリッジの着脱動作だけで操作部材に機能を割り付けられるので、操作性が向上し、操作部材を最小限の数に減らせるとことができ、かつ装置をより小型化しても操作性が良好であるという効果を有している。
【発明を実施するための最良の形態】
【００２３】
（第１の実施形態）
図１乃至図８において本発明の第１の実施形態について説明する。図１は本発明の装置の主たる構成を表わしたブロック図である。図２及び図３は動作の流れを示すフローチャートである。又、図４（ａ），図４（ｂ）及び図５は本発明の装置の外観を表わした斜視図である。図６は本装置の中央断面の構成略図である。図７はカートリッジの透視斜視図である。図８は消耗材カートリッジユニットの分解図である。
【００２４】
本プリンタ付き撮影装置はプリンタエンジン部にインクジェット記録方式を採用し、電子的な撮像をメモリへ蓄えるのと共に、任意のメモリに蓄えられた映像情報を任意なプリント枚数分プリント出力することができるものである。撮影される被写界の光学像を電気信号に変換する撮像手段による撮影動作と、プリント手段によるプリント動作を行う。
【００２５】
図１において、本プリンタ付撮影装置は、撮像レンズと光電変換素子を含む撮像部２と、当該撮像部２を制御する撮像制御部３と、プリントを出力するプリンタエンジン部４と、当該プリンタエンジン部４を制御するプリンタ制御部５とを有する。又、操作部材に割り付けられた機能を切換える操作部材切換手段６と、撮影者に種々の情報を知らせる表示部８と、撮影した撮像信号を記録するＡ／Ｄ変換部を含むメモリ手段７と、カートリッジ装着検出手段９とを有する。更に、撮影者と装置とのインターフェイスを含む操作用スイッチ１０〜１３と、上記各部を制御するＣＰＵとそのプログラムを含む制御手段１とが有る。
【００２６】
又、図４及び図５に示されるプリンタ付き撮影装置は、装置本体に装着して内部のプリント前のプリント用紙や電池、カートリッジ本体等の消耗材料であるカートリッジユニット１０２と、撮影装置とプリンタ装置とを合体した装置本体１０１とから構成される。装置本体は、ズームボタン１０４や表示手段８の表示装置１１４や、シャッターボタン１１２、強制発光ボタン１１５（ＳＷＣ１２）、撮影モード設定ボタン１１６（ＳＷＤ１３）等から構成されている。強制発光ボタン１１５は、サイズ設定ボタンを兼ね、撮影モード設定ボタン１１６は、プリント出力枚数ボタンを兼ねる。
【００２７】
この装置について、特に図２、図３に従って、動作の手順に従って説明する。撮影者がメインスイッチの電源を入力する（Ｓ１）と、制御手段１は該装置が前回使用されて、電源がオフされてから所定期間、例えば３日以上（７２時間以上）経過しているか否かを判断する（Ｓ２）。もしも３日以上経過している場合には、制御手段１はプリンタ部の制御を受け持つプリンタ制御部５に回復ポンピングの指示を出してプリンタエンジン部４を駆動する（Ｓ３）。
【００２８】
ここで、回復ポンピングは、後述するインクジェット記録方式の装置においてより記録を有効にするものであって、用紙への記録を行う事前に記録ヘッドを吸引ポンプ等の手段によってクリーニングするものである。このクリーニングの目安として、本実施形態においては３日間以上の未使用期間があった場合の電源入力時にこれを行うものとした。
【００２９】
ここで、プリントするプリント材料やカートリッジカバー等を含む後述の消耗材料であるカートリッジユニット１０２の着脱状態によって、本実施形態の装置は撮影装置として機能するか、プリンタ装置として機能するかが決められるようになっている。すなわち、消耗材カートリッジユニット１０２の装着状態を検出するカートリッジ装着検出手段９によって、消耗材カートリッジユニット１０２が装着されている場合にはプリンタ装置として操作ボタン類が機能する。非装着の場合には撮影装置として同じ操作ボタン類が機能することで、操作ボタン類の種類を大幅に少なくすることを可能にしている。
【００３０】
具体的には制御手段１は後述する装着検出接点１２６の状態によって消耗材カートリッジユニット１０２の装着状態を検出して、操作部材切換手段６を介して各操作部材に割り付けられた機能に切換える（Ｓ４）。操作部材切換手段６は、消耗材カートリッジユニット１０２の装着状態に応じて、操作部材に、撮影設定、又はプリント出力設定の機能を割り付ける。
【００３１】
さて、回復ポンピング処理が終了して（Ｓ３）、カートリッジ１０２が装着されているのか否かを判断し（Ｓ４）、装着されていない場合、すなわち、撮影者が消耗材カートリッジユニット１０２を取りはずした状態である。この状態で、撮影装置として動作させる場合について説明する（フローチャートの図３に示す（Ａ））。撮影に際してシャッターボタン１１２を第１ストロークまで押し込むと、ＳＷＡ１０にＳＷ１信号が入力する（Ｓ１１）。
【００３２】
制御手段１は撮像制御部３を介して撮像部２を駆動し、露出制御値の決定や測距情報の決定、ストロボ発光の有無等露出動作に必要な諸条件の決定を行う（Ｓ１２）。
【００３３】
撮影者が実際に撮影を実行する為に、更にシャッターボタン１１２を押し込むと、制御手段１にはＳＷＢ１１にＳＷ２信号が入力する（Ｓ１３）。
【００３４】
制御手段１は撮像制御部３を介して撮像部２を駆動して焦点合わせの為のレンズ駆動やシャッターの速度制御、絞りの開口量制御、又、必要であればストロボの発光等の一連の露光動作を行う。そして、固体撮像素子８００−ａに入力する画像情報をメモリ手段７に取り込む（Ｓ１４、Ｓ１５）。
【００３５】
制御手段１は保存した画像情報をメモリ手段７から呼び出して表示手段８、具体的には液晶表示板１１４に表示を行い、撮影内容や撮影条件の確認等が行えるようにする（Ｓ１６）。
【００３６】
撮影動作としては以上を繰り返すことによってメモリ手段７に映像情報が蓄積されていく。
【００３７】
一方、プリント出力を行う場合には消耗材カートリッジユニット１０２をカメラ本体１０１に取付ける。この取り付けにより、ステップＳ４において、カートリッジユニット１０２の装着状態となる。
【００３８】
新しい消耗材カートリッジユニット１０２が装着されると、図７に示すように、ロック爪１２７の一部に形成されているロック解除部１２７−ａがカメラ本体１０１のロックピン１２５をロックピンバネ１２９のバネ力に抗して押した状態となる。ロックレバー１２４はロックピン１２５が押されると係止状態が解放され、ロックバネ１２８によって引かれてスライドする。これによってロックレバーの爪部１２４−ａと消耗材カートリッジユニット１０２のロック爪１２７が係合して消耗材カートリッジユニット１０２がカメラ本体１０１に対して固定される。
【００３９】
この時、ロックレバー１２４の端部が装着検出接点１２６をオンさせることで制御手段１は消耗材カートリッジユニット１０２の装着を検出する（Ｓ４）。
【００４０】
制御手段１は給紙用モータ６００へ通電してプリンタ用紙３００をカメラ本体１０１内部へ給紙する。
【００４１】
又、プリンタ制御部５を介して再度回復ポンピングの指示を行い、印画可能な状態に復活させる（Ｓ５）。
【００４２】
次に、メモリ手段７に取り込まれた画像情報を画像送りボタン１０４−ａ、画像戻りボタン１０４−ｂによって液晶表示板１１４を見ながら検索し、プリント出力したい画像情報を表示する（Ｓ６）。
【００４３】
ここで、図４に示す画像送りボタンＴ１０４−ａと画像戻りボタンＷ１０４−ｂは、消耗材カートリッジユニット１０２が装着されている場合のキーの機能である。前述の撮影装置として使用している場合には、撮像光学系のズーム倍率変更に使われ望遠側が１０４−ａ、広角側が１０４−ｂとなっている。プリント出力設定は、プリント出力サイズ設定、又は出力枚数設定であり、プリントの出力サイズの大小を決めるサイズ設定ボタン１１５（ＳＷＣ１２）とプリント出力の枚数を決めるプリント出力枚数ボタン１１６（ＳＷＤ１３）が有る。それらは、撮影装置としては各々ストロボの強制発光ボタン（１１５）及び撮影モード設定ボタン（１１６）として機能するように構成したが、各操作スイッチ部材への機能の振り分けはこれに限られるものではない。
【００４４】
次に、図４に示す装置で、プリント動作を行う為にプリント開始ボタン１１２（撮影装置として使用している場合にはシャッターボタンとして機能させている）を押すと、制御手段１にはＳＷＡ１０にプリント信号が入力する（Ｓ７）。
【００４５】
プリンタ制御部５は記録ヘッド（後述４００）のホームポジション位置でプリント動作をより有効にする為にまず予備吐出を行い、記録ヘッド４００の目づまりを解消したり、蒸発しているノズルの回復等を行う。
【００４６】
次に、プリンタ制御部５はメモリ手段７に蓄えられた映像情報をプリント出力用の画像処理を加えた上でプリンタエンジン部４から出力する（Ｓ８）。
【００４７】
図４に示すように、プリンタエンジン部４でプリントされた印画済プリンタ用紙１０８はロール状に巻かれたプリンタ用紙３００と切り離される位置まで自動的に給紙される（Ｓ９）。
【００４８】
ここで、インク及びプリンタ用紙及び電源電池を含む消耗材カートリッジユニット１０２は、内部に書き換え可能な出力枚数メモリ１４を有しており、プリント出力した枚数が記憶されている。
【００４９】
制御手段１は消耗材カートリッジユニット１０２の出力枚数メモリ１４にプリント出力ごとに加算していく。これと共に出力後にプリント用紙の残量をチェックして、もしプリント用紙が無い場合には液晶表示板１１４に消耗材カートリッジ１０２の交換を促す警告表示を行う。
【００５０】
撮影者である使用者は、前記警告に従って消耗材カートリッジユニット１０２をカメラ本体部１０１から取りはずして新しい消耗材カートリッジユニット１０２に交換する。消耗材カートリッジユニット１０２の脱着はカートリッジ取りはずしボタン１１１を押すことで、カメラ本体１０１と切り離すことができるようになっている。
【００５１】
図５は、消耗材カートリッジユニット１０２をカメラ本体１０１から切り離した状態を表わしている。消耗材カートリッジユニット１０２は四隅にロック爪１１７を有しており、カメラ本体１０１のロック爪穴１１８に差し込む。カメラ本体１０１には、イエロー、マゼンタ、シアン及びブラックのインクを記録ヘッド４００に供給するインク接続部１１９（１１９−Ｙ，１１９−Ｍ，１１９−Ｃ，１１９−Ｋ）が有る。又、図６に示す電源電池２００から電力を伝達する電源端子１２０、出力枚数メモリ１４との情報伝達の為のメモリ端子１２１及びプリンタ用紙３００の給紙用接続ギア１２２が配設されている。又、消耗材カートリッジユニット１０２から給紙されたプリンタ用紙３００がカメラ本体１０１内部へ導かれる給紙口１２３が配設されている。なお、メモリ端子１２１は、本実施形態では４端子だがメモリの容量等によってこれに限られるものではない。
【００５２】
図６に示す電源電池２００は消耗材カートリッジユニット１０２の装着によって装置全体への電力供給を行う。一方消耗材カートリッジユニット１０２が非装着の場合には、本体側に内蔵される本体電池１４９から電力供給を行うように制御手段１は制御する。
【００５３】
又、制御手段１は、本体電池１４９と電源電池２００との両電源電池の状態をモニターしている。消耗材カートリッジユニット１０２が装着時にどちらかの電源電池の供給能力が不足する場合には供給可能なもう一方の電源電池を用いることで効率よく使用できるようになっている。
【００５４】
図６は装置全体の上面及び側面の断面状態を表わした断面図であり、主要な構成のみを表わしている。
【００５５】
カメラ本体１０１は撮像ユニット８００から入力した画像情報を基板ユニット９００上に配設された回路によって処理して、記録ヘッド４００によって印画する。記録ヘッド４００は２本の支持バー４００−ａ，４００−ｂによって支持され、ヘッド駆動モータ７００からギアユニット７００−ａとベルト７００−ｂを介してプリンタ用紙３００の給紙と直角方向に往復駆動される。
【００５６】
プリンタ用紙３００は給紙モータ６００により給紙され、バネ支持されたローラー６００−ａ部を通って、カメラ本体外部へプリント出口１０７から排出される。
【００５７】
一方、図８は、消耗材カートリッジユニット１０２の分解図である。この消耗材カートリッジユニット１０２は、イエロー、マゼンタ、シアン、ブラックの４色のインクを収納したインクタンク５００と、ロール状に巻かれたプリンタ用紙３００と、プリンタ用紙３００と同軸上に配設された電源電池２００とを有している。出力枚数メモリ１４は、メモリ基板１３０に搭載されて、カートリッジ上カバー１０２−ａに固定される。プリンタ用紙３００は軸中心部に電源電池２００を挿入した上で両側から軸受３００−ａ，３００−ｂをはめ込む。
【００５８】
軸受３００−ａ側には、給紙用のギア３０１を二方どり部３０１−ａを合わせて組み付け、軸受３００−ｂ側からは電源電池２００からリード線３０２を引き出すようになっている。このプリンタ用紙３００をプリンタ用紙３００をガイドするガイドバー３００−ｃと共に、カートリッジ下カバー１０２−ｂに組んでカートリッジ上カバー１０２−ａと合わせることで消耗材カートリッジユニット１０２が構成される。
【００５９】
消耗材カートリッジユニット１０２は、このような構成の為にカバー１０２−ａ，ｂ等を回収後に再利用が可能になっている。
【００６０】
本発明の装置は、特にインクジェット記録方式の中でも、インク吐出を行わせる為に利用されるエネルギーとして、熱エネルギーを発生する手段（例えば電気熱変換体やレーザ光等）を備えている。このため、前記熱エネルギーによりインクの状態変化を生起させる方式の記録ヘッド、記録装置において優れた効果をもたらす。
【００６１】
その代表的な構成や原理については、例えば、特許文献１０、特許文献１１に開示されている基本的な原理を用いて行うものが好ましい。この方式は特にオンデマンド型の場合には液体（インク）が保持されているシートや液路に対応して配置されている電気熱変換体に、記録情報に対応していて核沸騰を越える急速な温度上昇を与える少なくとも一つの駆動信号を印加する。それによって、電気熱変換体に熱エネルギーを発生せしめ、記録ヘッドの熱作用面に膜沸騰させて、結果的にこの駆動信号に一対一に対応し液体（インク）内の気泡を形成できるので有効である。この気泡の成長、収縮により吐出用開口を介して液体（インク）を吐出させて、少なくとも一つの滴を形成する。
【００６２】
この駆動信号をパルス形状とすると、即時適切に気泡の成長収縮が行われるので、特に応答性に優れた液体（インク）の吐出が達成でき、より好ましい。
【００６３】
このパルス形状の駆動信号としては、特許文献１２、特許文献１３に記載されているようなものが適している。尚、上記熱作用面の温度上昇率に関する発明の特許文献１４に記載されている条件を採用すると、更に優れた記録を行うことができる。
【００６４】
記録ヘッドの構成としては、上述の各明細書に開示されているような吐出口、液路、電気熱変換体の組み合わせ構成（直線状液路又は直角液流路）とする。この他に熱作用部が屈曲する領域に配置されている構成を開示する特許文献１５、特許文献１６を用いた構成も本発明に含まれるものである。
【００６５】
加えて、複数の電気熱変換体に対して、共通するスリットを電気熱変換体の吐出部とする構成を開示する特許文献１７や、熱エネルギーの圧力波を吸収する開孔を吐出部に対応させる構成を開示する特許文献１８に基づいた構成としても本発明は有効である。
【００６６】
更に、記録装置部が記録できる最大記録媒体の幅に対応した長さを有するフルラインタイプの記録ヘッドがある。上述した明細書に開示されているような複数記録ヘッドの組み合わせによって、その長さを満たす構成や、一体的に形成された一個の記録ヘッドとしての構成のいずれでも良いが、これらの構成をとることで本発明を一層有効に発揮することができる。
【００６７】
加えて、装置本体に装着されることで、装置本体との電気的な接続や装置本体からのインクの供給が可能になる交換自在のチップタイプの記録ヘッド、或いは記録ヘッド自体に一体的に設けられたカートリッジタイプの記録ヘッドを用いた場合にも本発明は有効である。
【００６８】
又、本発明の記録装置部の構成として設けられる、記録ヘッドに対しての回復手段、予備的な補助手段等を付加することは、本発明の効果を一層安定できるので好ましいものである。
【００６９】
これらを具体的に挙げれば、記録ヘッドに対してのキャッピング手段、クリーニング手段、加圧或いは吸引手段、電気熱変換体或いはこれとは別の加熱素子或いはこれらの組み合わせによる予備加熱手段が有る。記録とは別の吐出を行う予備吐出モードを行うことも安定した記録を行うために有効である。
【００７０】
更に、記録装置部の記録モードとしては黒色等の主流色のみの記録モードだけでなく、記録ヘッドを一体的に構成するか複数個の組み合わせによってでもよい。異なる色の複色カラー又は、混色によるフルカラーの少なくとも一つを備えた装置であることが極めて有効になる。
【００７１】
（第２の実施形態）
図９乃至図１１において本発明の第２の実施形態について説明する。図９は本発明のプリンタ付き撮影装置の主たる構成を表わしたブロック図であり、モード設定手段は、印刷面積の大中小を切り換える機能を有している。図１１及び図１１は動作の流れを示すフローチャートである。又、第１の実施形態によって説明した構造的な内容はほぼ同様であり、図４（ａ）及び図４（ｂ）、図５は本発明の装置の外観を表わした斜視図である。図６は本装置の中央断面の構成略図である。図７は透視斜視図である。図８は消耗材カートリッジユニットの分解図である。
【００７２】
本装置は、プリンタエンジン部にインクジェット記録方式を採用し、電子的な撮像をメモリへ蓄えるのと共に、任意のメモリに蓄えられた映像情報を任意なプリント枚数分プリント出力することができるものである。この装置について動作の手順に従って説明する。
【００７３】
撮影者がプリンタ付き撮影装置の電源を入力する（Ｓ２１）と、制御手段１は該装置が前回使用されて、電源がオフされてから所定期間、例えば３日以上（７２時間以上）経過しているか否かを判断する（Ｓ２２）。もしも３日以上経過している場合には、制御手段１はプリンタ部の制御を受け持つプリンタ制御部５に回復ポンピングの指示を出してプリンタエンジン部４を駆動する（Ｓ２３）。
【００７４】
次に、撮影者は撮影に際して、シャッターボタン１１２を第１ストロークまで押し込むと、ＳＷ１信号９が入力する（Ｓ２４）。制御手段１は撮像制御部３を介して撮像部２を駆動し、露出制御値の決定や測距情報の決定、ストロボ発光の有無等露出動作に必要な諸条件の決定を行う（Ｓ２５）。
【００７５】
撮影者が実際に撮影を実行する為に更にシャッターボタン１１２を押し込むと、制御手段１にはＳＷ２信号１０が入力する（Ｓ２６）。制御手段１は撮像制御部３を介して撮像部２を駆動して焦点合わせの為のレンズ駆動やシャッターの速度制御、絞りの開口量制御、又必要であればストロボの発光等の一連の露光動作を行う。そして、図６に示す固体撮像素子８００−ａに入力する画像情報をメモリ手段７に取り込む（Ｓ２７、Ｓ２８）。
【００７６】
制御手段１は保存したメモリ画の画像情報をメモリ手段７から呼び出して表示手段８、具体的には図４に示す液晶表示板１１４に表示を行い、撮影内容や撮影条件の確認等が行えるようにする（Ｓ２９）。
【００７７】
撮影動作としては以上を繰り返すことによってメモリ手段７に映像情報が蓄積されていく。
【００７８】
さて、撮影者がプリント出力を所望した場合、プリント出力のモード設定をモード設定手段６によって行う。具体的にはプリント出力にはプリントアウトする画像の印刷面積の大中小を切り換えるサイズ設定ボタン１１５及びプリント枚数設定ボタン１１６を用いる。
【００７９】
次に、メモリ手段７に取り込まれた画像情報を画像送りボタン１１０、画像戻りボタン１０９によって液晶表示板１１４を見ながら検索し、プリント出力したい画像情報を表示する（Ｓ３０）。
【００８０】
ここで、プリントボタン１０３を押すと、プリント信号ＰＲ１１が入力し、制御手段１はプリント動作を開始する（Ｓ３１）。プリンタ制御部５は図６に示す記録ヘッド（後述４００）のホームポジション位置でプリント動作をより有効にする為にまず予備吐出を行い、記録ヘッド４００の目づまりを解消したり蒸発しているノズルの回復等を行う（Ｓ３２）。
【００８１】
次にプリンタ制御部５はメモリ手段７に蓄えられた画像情報をプリント出力用の画像処理を加えた上でプリンタエンジン部４から出力する（Ｓ３３）。
【００８２】
プリンタエンジン部４でプリントされた印画済プリンタ用紙１０８はロール状に巻かれたプリンタ用紙３００と切り離される位置まで自動的に給紙される（Ｓ３４）。ここでインク及びプリンタ用紙及び電源電池を含む消耗材カートリッジユニット１０２は内部に書き換え可能な出力枚数メモリ１４を有しておりプリント出力した枚数が記憶されている。
【００８３】
制御手段１は消耗材カートリッジユニット１０２の出力枚数メモリ１４にプリント出力ごとに加算していく。これと共に出力後にプリンタ用紙の残量をチェックして、もしプリンタ用紙３００が無い場合には液晶表示板１１４に消耗材カートリッジユニット１０２の交換を促す警告表示を行う（Ｓ３５、Ｓ３６）。
【００８４】
使用者は前記警告に従って消耗材カートリッジユニット１０２をカメラ本体部１０１から取りはずして新しい消耗材カートリッジユニット１０２に交換する。消耗材カートリッジユニット１０２の脱着はカートリッジ取りはずしボタン１１１を押すことでカメラ本体１０１と切り離すことができるようになっている。
【００８５】
図５は、消耗材カートリッジユニット１０２をカメラ本体１０１から切り離した状態を表わしている。消耗材カートリッジユニット１０２は、四隅にロック爪１１７を有しており、カメラ本体１０１のロック爪穴１１８に差し込む。カメラ本体１０１には、イエロー、マゼンタ、シアン及びブラックのインクを記録ヘッド４００に供給するインク接続部１１９（１１９−Ｙ，１１９−Ｍ，１１９−Ｃ，１１９−Ｋ）が有る。又、電源電池２００から電力を伝達する電源端子１２０、出力枚数メモリ１４との情報伝達の為のメモリ端子１２１及びプリンタ用紙３００の給紙用接続ギア１２２が配設されている。又、消耗材カートリッジユニット１０２から給紙されたプリンタ用紙３００がカメラ本体１０１内部へ導かれる給紙口１２３が配設されている。
【００８６】
さて、新しい消耗材カートリッジユニット１０２が装着されると、ロック爪１１７の一部に形成されているロック解除部１２７がカメラ本体１０１のロックピン１２５をロックピンバネ１２９のバネ力に抗して押す（図７）。ロックレバー１２４はロックピン１２５が押されると係止状態が解放され、ロックバネ１２８によって引かれてスライドする。これによってロックレバーの爪部１２４−ａと消耗材カートリッジユニット１０２のロック爪１１７が係合して消耗材カートリッジユニット１０２がカメラ本体１０１に対して固定される。
【００８７】
この時ロックレバーの端部が装着検出接点１２６をオンさせることで制御手段１は印画可能なカートリッジユニット１０２が装着されたのか否かを検出・判断する（Ｓ３７）。装着されていれば、制御手段１は給紙用モータ６００へ通電してプリンタ用紙３００をカメラ本体１０１内部へ給紙する（Ｓ３８）。
【００８８】
又、プリンタ制御部５を介して回復ポンピングの指示を行い、印画可能な状態に復活させる（Ｓ３９）。
【００８９】
一方、図８は消耗材カートリッジユニット１０２の分解図である。この消耗材カートリッジユニット１０２は、イエロー、マゼンタ、シアン、ブラックの４色のインクを収納したインクタンク５００と、ロール状に巻かれたプリンタ用紙３００と、プリンタ用紙３００と同軸上に配設された電源電池２００を有している。出力枚数メモリ１４はメモリ基板１３０に乗ってカートリッジ上カバー１０２−ａに固定される。プリンタ用紙３００は軸中心部に電源電池２００を挿入した上で両側から軸受３００−ａ，３００−ｂをはめ込む。
【００９０】
軸受３００−ａ側には給紙用のギア３０１を二方どり部３０１−ａを合わせて組み付け、軸受３００−ｂ側からは電源電池２００からリード線３０２を引き出すようになっている。このプリンタ用紙３００をプリンタ用紙３００をガイドするガイドバー３００−ｃと共にカートリッジ下カバー１０２−ｂに組んでカートリッジ上カバー１０２−ａと合わせることで消耗材カートリッジユニット１０２が構成される。
【００９１】
（第３の実施形態）
図１２乃至図１３において本発明の第３の実施形態を説明する。なお第２の実施形態と同じ動作を行う個所については同一の符号を付け説明は省略する。
【００９２】
本第３の実施形態のプリンタ付撮影装置は、装置本体に装置される脱着式のカートリッジ本体内部に配設された電源電池を電源電池単体で脱着可能に構成したものである。
【００９３】
これによると、プリンタ用紙と印画用インク及び電源電池の各消耗材をすべて一括で扱える。それと同時に、長時間放置されたり、使用環境が変化する等の諸条件によって電源電池の能力が不足して、他の消耗材がまだ十分に残っているのに撮影及びプリント出力ができなくなるといったことを防ぐことができるものである。併せて電源電池の脱着が可能であるので充電式の電源電池（ニッカド電池やリチウムイオン電池）を使うことができ、更に経済的である。
【００９４】
図１２は第２の実施形態と同様の上面から見た中央断面図である。電源電池２００６は消耗材カートリッジユニット２０００の側面に配設された電池蓋２００８を開け、挿入することで脱着されるようになっている。
【００９５】
図１３は消耗材カートリッジユニット２０００を分解した図である。プリンタ用紙２００３はボビン２００２に巻かれている。このボビン２００２の中心軸部分に電池ホルダー２００６が配設され、電池ホルダー２００６の端部にある二方どり部２００６−ａがカートリッジ下ケース２００９の壁溝部２００９−ａと係合して固定される。又、電池ホルダー２００６には電池接片２０１０が配設され、電源端子（第１実施形態１２０）につながっている。
【００９６】
プリンタ用紙２００３の給紙は本体側のギア列と噛み合うボビンギア２００５によって行われる。ボビンギア２００５は電源電池２００７及び電池ホルダー２００６と干渉しないように軸中心部は穴があいている。ボビンギア２００５は軸２００５−ａとボビンの穴２００４によって係合して固定されており、ボビン２００５及びプリンタ用紙２００３を回転可能にしている。
【００９７】
これらを組付けた上でカートリッジ上カバー２００１をかぶせて消耗材カートリッジユニット２０００が完成している。
【００９８】
これによって消耗材カートリッジユニット２０００で各種消耗材すべてを一括して扱えると同時に、電源電池をどの状態でも交換可能になっているわけである。
【００９９】
（第４の実施形態）
図１４乃至図１７において本発明の第４の実施形態を説明する。なお第２及び第３の実施形態と同じ動作を行う個所については同一の符合を付け説明は省略する。
【０１００】
本第４の実施形態の装置は、消耗材の１つである印画用インクタンクを直接記録ヘッド部と一体的に連結させるタイプであって、かつ消耗材を一括して交換作業等を扱えるものである。
【０１０１】
これによれば、記録ヘッド部とインクタンクの接続部の配管が簡単になると共に吸引ポンピングによる廃インクの量の節約が可能なものである。
【０１０２】
図１４は第４の実施形態の斜視図である。図１５は上側から見た中央断面図であり、図１６は側面から見た断面図であり、図１７はキャリッジ部の詳細図である。
【０１０３】
図１４、図１５に示すように、消耗材カートリッジユニット３０００は外側にインクタンク３００１を有しており、爪部３００２によって保持されている。爪部３００２は消耗材カートリッジユニット３０００の外装部を構成するプラスチック材料で形成されており、バネ性を利用してインクタンク３００１を固定している。この消耗材カートリッジユニット３０００を本体１０１の側面に取付けるが、インクタンク３００１の出張り部分を本体１０１に形成された穴部３００５に差し込むように挿入していく。
【０１０４】
一方、本体１０１内部に具備されているヘッドキャリッジ３００３には、インクの供給を行う圧接弁３００４（４色分の４ケを有する）とインク供給管３００６及び記録ヘッド３００７が配設されていて、接続されたインクタンク３００１からのインクを供給する。
【０１０５】
ヘッドキャリッジ３００３は、インクタンク３００１を導くと共に、図１７に示すように固定する為のくさび状の溝３０１０と３０１１を有している。これらの溝によって正確に位置決めされると共に固定される。又、抜け止め用のストッパーとして、ロックピン３０１３がインクタンク３００１のロック穴３０１５に係合するようになっている。ロックピン３０１３はロックレバー３０１２にかけられるロックバネ３０１４を介して突出方向に付勢されている。
【０１０６】
ここで、図１５に示すように、インクタンク３００１の交換はヘッドキャリッジ３００３の交換位置であるＡ位置で行われる。このＡ位置においてはロックレバー３０１２はカメラ本体１０１の側壁面部に当接して時計回り方向に回転してロックピン３０１３を押し下げる。これによって消耗材カートリッジユニット３０００を引き抜くことが可能である。
【０１０７】
ヘッドキャリッジ３００３の溝３０１０，３０１１に対してインクタンク３００１はくさび状の凸部３００８と３００９が係合するようになっている。
【０１０８】
すなわち、図１７に示すように、消耗材カートリッジユニット３００１をＴ方向へ挿入していくと、くさび部３００８，３００９がヘッドキャリッジ３００３の溝部３０１０，３０１１へ係合して装着される。この後ヘッドキャリッジ３００３がＳ方向へ移動すると、爪部３００２がはずされて、ヘッドキャリッジ３００３のロックピン３０１３が挿入されて、ヘッドキャリッジ３００３とインクタンク３００１が一体的に構成されるわけである。
【０１０９】
ヘッドキャリッジ３００３は制御手段１によってインクタンク３００１交換時のみＡ位置へ移動し、通常は待機位置Ｂ及び印画位置Ｃ〜Ｄの間を往復するように制御されている。
【０１１０】
（第５の実施形態）
図１８乃至図２１及び図４乃至図８において本発明の第５の実施形態について説明する。図１８は本発明の装置の主たる構成を表わしたブロック図であり、第１の実施形態によって説明した図１とはカートリッジ種類判別手段１５が追加されている。図１９乃至図２１は動作の流れを示すフローチャートである。図４（ａ）及び図４（ｂ）、図５は本発明の装置の外観を表わした斜視図である。図６は本装置の中央断面の構成略図である。図７は透視斜視図である。図８は消耗材カートリッジユニットの分解図である。又、図２２は手差しカートリッジユニットを装着した断面図であり、図２３は手差しカートリッジユニットの分解図である。
【０１１１】
本プリンタ付き撮影装置はプリンタエンジン部にインクジェット記録方式を採用し、電子的な撮像をメモリへ蓄えるのと共に、任意のメモリに蓄えられた映像情報を任意なプリント枚数分プリント出力することができるものである。この装置について動作の手順を図１９乃至図２１に従って説明する。
【０１１２】
撮影者が電源を入力する（Ｓ４１）と、制御手段１は該装置が前回使用されて、電源がオフされてから所定期間、例えば３日以上（７２時間以上）経過しているか否かを判断する（Ｓ４２）。もしも３日以上経過している場合には、制御手段１はプリンタ部の制御を受け持つプリンタ制御部５に回復ポンピングの指示を出してプリンタエンジン部４を駆動する（Ｓ４３）。
【０１１３】
さて撮影者は撮影に際して、シャッターボタン１１２を第１ストロークまで押し込むと、ＳＷ１信号９が入力する（Ｓ４４）。
【０１１４】
制御手段１は撮像制御部３を介して撮像部２を駆動し、露出制御値の決定や測距情報の決定、ストロボ発光の有無等露出動作に必要な諸条件の決定を行う（Ｓ４５）。
【０１１５】
撮影者が実際に撮影を実行する為に更にシャッターボタン１１２を押し込むと、制御手段１にはＳＷ２信号１０が入力する（Ｓ４６）。
【０１１６】
制御手段１は、撮像制御部３を介して撮像部２を駆動して焦点合わせの為のレンズ駆動やシャッターの速度制御、絞りの開口量制御、又必要であればストロボの発光等の一連の露光動作を行う。そして、固体撮像素子８００−ａに入力する画像情報をメモリ手段７に取り込む（Ｓ４７、Ｓ４８）。
【０１１７】
制御手段１は保存したメモリ画の画像情報をメモリ手段７から呼び出して表示手段８、具体的には液晶表示板１１４に表示を行い、撮影内容や撮影条件の確認等が行えるようにする（Ｓ４９）。
【０１１８】
撮影動作としては以上を繰り返すことによってメモリ手段７に映像情報が蓄積されていく。
【０１１９】
さて、撮影者がプリント出力を所望した場合、プリント出力のモード設定をモード設定手段６によって行う。具体的にはプリント出力にはプリントアウトする画像の印刷面積の大中小を切り換えるサイズ設定ボタン１１５及びプリント枚数設定ボタン１１６を用いる。
【０１２０】
次にメモリ手段７に取り込まれた画像情報を画像送りボタン１１０、画像戻りボタン１０９によって液晶表示板１１４を見ながら検索し、プリント出力したい画像情報を表示する（Ｓ５０）。
【０１２１】
ここで、プリントボタン１０３を押すと、プリント信号ＰＲ１１が入力し、制御手段１はプリント動作を開始する（Ｓ５１）。
【０１２２】
ここで、図２２に示す手差しカートリッジユニット１５０が装着されている場合、制御手段１はカートリッジユニット１５０の出力枚数メモリ１４から装着されているカートリッジの種類を表す信号を読み出す。例えば通常の消耗材カートリッジユニット１０２の場合には０、手差しカートリッジユニット１５０の場合には１と、１ビットの信号で表わされていたとすると、カートリッジ種類判別手段１４はこれを検出し、制御手段１に伝達する。制御手段１は各々のカートリッジに適応したプリンタ用紙や葉書等の給紙動作等を制御する（Ｓ５２）。もし手差しカートリッジユニット１５０が装着されている場合、制御手段１は葉書等の手差しされる用紙の挿入を検出する紙検出スイッチ１５１によって印画される用紙の有無をチェックする（Ｓ５３）。もしも、用紙がセットされていない場合には、用紙の挿入を促す用紙給紙警告表示を行う（Ｓ５４）。
【０１２３】
プリンタ制御部５は記録ヘッド（後述４００）のホームポジション位置でプリント動作をより有効にする為にまず予備吐出を行い、記録ヘッド４００の目づまりを解消したり蒸発しているノズルの回復等を行う（Ｓ５５）。
【０１２４】
次に、手差しカートリッジが挿入され、又はプリント用紙３００が準備された場合は、プリンタ制御部５はメモリ手段７に蓄えられた画像情報をプリント出力用の画像処理を加えた上でプリンタエンジン部４から出力する（Ｓ５６）。
【０１２５】
プリンタエンジン部４でプリントされた印画済プリンタ用紙１０８はロール状に巻かれたプリンタ用紙３００と切り離される位置まで自動的に給紙される。又手差しの場合には手差しされた用紙を完全に排出するまで給紙する（Ｓ５７）。
【０１２６】
ここで、図４（ａ）に示すプリント用紙のプリント出口１０７は、図４（ｂ）に示すプリント出口１２７のいずれかでよく、いずれに出力するのかは合法的に定めればよい。又、インク及びプリンタ用紙及び電源電池を含む消耗材カートリッジユニット１０２は内部に書き換え可能な出力枚数メモリ１４を有しておりプリント出力した枚数が記憶されている。
【０１２７】
制御手段１は、消耗材カートリッジユニット１０２の出力枚数メモリ１４にプリント出力ごとに加算していく。これと共に出力後にプリンタ用紙の残量をチェックして（Ｓ５８）、カートリッジユニット１０２を取り外すか否かを判定し（Ｓ５９）する。もしプリンタ用紙が無い場合には液晶表示板１１４に消耗材カートリッジユニット１０２の交換を促す警告表示を行う（Ｓ６０、Ｓ６１）。
【０１２８】
一方、手差しカートリッジユニット１５０が装着状態であることを装着検出接点１２６と出力枚数メモリ１４から検出する。もしも手差しカートリッジユニット１５０が取りはずされた場合には同様にカートリッジの交換を促す警告表示を行う（Ｓ５８、Ｓ５９、Ｓ６１）。
【０１２９】
撮影者は前記警告に従って、消耗材カートリッジユニット１０２をカメラ本体部１０１から取りはずして新しい消耗材カートリッジユニット１０２又は手差しカートリッジユニット１５０に交換する。消耗材カートリッジユニット１０２又は手差しカートリッジユニット１５０の脱着はカートリッジ取りはずしボタン１１１を押すことでカメラ本体１０１と切り離すことができるようになっている。
【０１３０】
図５は、消耗材カートリッジユニット１０２をカメラ本体１０１から切り離した状態を表わしている。消耗材カートリッジユニット１０２は四隅にロック爪１１７を有しており、カメラ本体１０１のロック爪穴１１８に差し込む。カメラ本体１０１には、イエロー、マゼンタ、シアン及びブラックのインクを記録ヘッド４００に供給するインク接続部１１９（１１９−Ｙ，１１９−Ｍ，１１９−Ｃ，１１９−Ｋ）がある。又、図６に示す電源電池２００から電力を伝達する電源端子１２０、出力枚数メモリ１４との情報伝達の為のメモリ端子１２１及びプリンタ用紙３００の給紙用接続ギア１２２が配設されている。又、消耗材カートリッジユニット１０２から給紙されたプリンタ用紙３００がカメラ本体１０１内部へ導かれる給紙口１２３が配設されている。なお、メモリ端子１２１は、実施形態では４端子だがメモリの容量等によってこれに限られるものではない。
【０１３１】
さて、新しい消耗材カートリッジユニット１０２が装着されると、ロック爪１１７の一部に形成されているロック解除部１２７がカメラ本体１０１のロックピン１２５をロックピンバネ１２９のバネ力に抗して押す（図７）。ロックレバー１２４はロックピン１２５が押されると係止状態が解放され、ロックバネ１２８によって引かれてスライドする。これによってロックレバー１２４の爪部１２４−ａと消耗材カートリッジユニット１０２のロック爪１１７が係合して消耗材カートリッジユニット１０２がカメラ本体１０１に対して固定される。
【０１３２】
この時、ロックレバー１２４の端部が装着検出接点１２６をオンさせることで制御手段１は消耗材カートリッジユニット１０２の装着を検出すると共に（Ｓ６３）、枚数メモリ１４のカートリッジ種類を記録した信号を読み出す（Ｓ６３）。制御手段１は給紙用モータ６００へ通電して、プリンタ用紙３００をカメラ本体１０１内部へ給紙する（Ｓ６４）。又、手差しカートリッジ１５０で有るか否かを問わず、プリンタ制御部５を介して回復ポンピングの指示を行い、印画可能な状態に復活させる（Ｓ６６）。
【０１３３】
一方、手差しカートリッジユニット１５０が装着された場合も上記消耗材カートリッジユニットが装着された場合と同じ動作によって着脱される。
【０１３４】
図５は装置全体の上面及び側面の断面状態を表した断面図であり、主要な構成のみを表わしている。この構成は第１の実施形態で説明した内容と同一であるので説明を省略する。
【０１３５】
又、図２２は手差しカートリッジユニット１５０を装着した場合の断面図を表わしている。又、図２３は手差しカートリッジユニット１５０の分解図を示している。撮影者が葉書用紙１５９等の手差し用紙を挿入すると、紙検出スイッチ１５１が入力して実際のプリント動作が開始する。図５に示すカメラ本体１０１側の給紙用接続ギア１２２と噛み合う給送ギアａ１５２が回転すると、同軸上の給送ギアｂ１５３、給送ギアｃ１５４を介して給紙ゴムローラー１５５が回転する。これにより、葉書用紙１５９をカメラ本体１０１内部へ、押さえローラー１５６、給紙ローラー１５７によってガイドしながら挿入していく。
【０１３６】
ここで、カメラ本体１０１の用紙搬送部１２３のうち、図６に示すローラー６００−ａ部分は給紙モータ６００によって用紙が直接駆動されて搬送される部分であり、用紙の送り精度が画質に影響する。本実施形態においては手差しカートリッジユニット１５０の用紙搬送部を、カメラ本体１０１の用紙搬送部と対向して直線的に配設されるように構成した。これによって手差しされる用紙の厚さ等の用紙搬送における問題を最小限にすることが可能になっている。
【０１３７】
手差しカートリッジユニット１５０には、通常の消耗材カートリッジユニット１０２と同様にインクタンク５００と電源電池２００と枚数メモリ１４を有している。枚数メモリ１４はメモリ基板１３０上に実装されているが、手差しカートリッジユニット１５０では葉書等の手差し用紙のプリント出力回数をカウントし、インクタンク５００のインク容量の残容量や消費される電源電池２００の容量等を推測することに用いられる。
【０１３８】
（第６の実施形態）
図２４乃至図２５において本発明の第６の実施形態を説明する。なお第４の実施形態と同じ動作を行う個所については同一の符号を付け説明は省略する。
【０１３９】
第６の実施形態における手差しカートリッジユニット２０００は葉書等の手差し用紙１５９を挿入すると、カメラ本体１０１側の給紙用ローラー６００−ａで用紙の搬送を行うようにしたものである。この場合、手差しカートリッジユニット２０００側に用紙搬送のメカニズムがほとんど不要になるので軽量で低コストのカートリッジユニットが供給できる。
【０１４０】
図２４は手差しカートリッジユニット２０００を装着した装置の断面図を表わしており、図２５は手差しカートリッジユニット２０００を分解した図を示している。手差しカートリッジユニット２０００は上カバー２０００−ａと下カバー２０００−ｂで構成される。上カバー２０００−ａにはカメラ本体１０１の用紙搬送部と対向して直線的に手差し用紙ガイド面２００１が形成されており、これによって手差し用紙１５９を直線的に挿入することができるようになっている。手差し用紙１５９を挿入口２００４から挿入していくと、紙検出スイッチ２００２が入力する。紙検出スイッチ２００２の信号はメモリ基板を介してカメラ本体１０１側へ伝達される。制御手段１はこの信号を受けて給紙モータ６００を駆動し、給紙ローラー６００−ａを駆動させる。手差し用紙１５９を挿入していくと、ガイドローラー２００３によって搬送方向が整えられ、カメラ本体１０１側で給紙ローラー６００−ａで搬送されることでプリント動作が行われる。
【０１４１】
手差しカートリッジユニット２０００には他の種類のカートリッジユニットと同様にインクタンク５００と電源電池２００及び枚数メモリ１４を有している。
【０１４２】
電源電池２００はプリンタ用紙や手差し用紙のカートリッジ内での搬送メカニズム等が不要である為にスペースの余裕に応じて容積の大きな電池を搭載することも可能である。
【０１４３】
（第７の実施形態）
図２６乃至図３０及び図４乃至図７において、本発明の第７の実施形態について説明する。図２６は本発明のプリンタ付き撮影装置の主たる構成を表わしたブロック図であり、廃液吸収紙検出手段１６を備え、他の部分は第１の実施形態と同様であり重複説明を省略する。図２７び図２８は動作の流れを示すフローチャートである。図４（ａ）及び４（ｂ）、図５は本発明の装置の外観を表わした斜視図である。図６は本装置の中央断面の構成略図である。図７は透視斜視図である。図２９は消耗材カートリッジユニットの分解図である。
【０１４４】
本装置はプリンタエンジン部にインクジェット記録方式を採用し、電子的な撮像をメモリへ蓄えるのと共に、任意のメモリに蓄えられた映像情報を任意なプリント枚数分プリント出力することができるものである。この装置について動作の手順に従って説明する。
【０１４５】
撮影者がプリンタ付き撮影装置の電源を入力する（Ｓ７１）と、制御手段１は該装置が前回使用されて、電源がオフされてから所定期間、例えば３日以上（７２時間以上）経過しているか否かを判断する（Ｓ７２）。もしも３日以上経過している場合には、制御手段１はプリンタ部の制御を受け持つプリンタ制御部５に回復ポンピングの指示を出してプリンタエンジン部４を駆動する（Ｓ７３）。以上の動作は第１，第２及び第４の実施形態と同様である。この時、制御手段１は廃液吸収紙１６０の有無を検出する廃液吸収紙検出手段１６からの信号によって確実に廃液吸収紙１６０が装着されている場合のみ回復ポンピング動作を行うようにした。これによって、万が一の際に廃液が周囲に飛びちる等の不良動作を防ぐことができるようになっている。
【０１４６】
ここで改めて、回復ポンピングは、後述するインクジェット記録方式の装置においてより記録を有効にするものであって、用紙への記録を行う事前に記録ヘッドを吸引ポンプ等の手段によってクリーニングするものである（回復動作の詳細については後述する）。このクリーニングの目安として、本実施形態においては３日間以上の未使用期間があった場合の電源入力時にこれを行うものとした。
【０１４７】
さて撮影者は撮影に際して、シャッターボタン１１２を第１ストロークまで押し込むと、ＳＷ１信号９が入力する（Ｓ７４）。制御手段１は撮像制御部３を介して撮像部２を駆動し露出制御値の決定や測距情報の決定、ストロボ発光の有無等露出動作に必要な諸条件の決定を行う（Ｓ７５）。撮影者が実際に撮影を実行する為に更にシャッターボタン１１２を押し込むと、制御手段１にはＳＷ２信号１０が入力する（Ｓ７６）。
【０１４８】
制御手段１は撮像制御部３を介して撮像部２を駆動して焦点合わせの為のレンズ駆動やシャッターの速度制御、絞りの開口量制御、又必要であればストロボの発光等の一連の露光動作を行う。そして、固体撮像素子８００−ａに入力する画像情報をメモリ手段７に取り込む（Ｓ７７、Ｓ７８）。
【０１４９】
制御手段１は保存したメモリ画をメモリ手段７から呼び出して表示手段８、具体的には液晶表示板１１４に表示を行い、撮影内容や撮影条件の確認等が行えるようにする（Ｓ７９）。
【０１５０】
撮影動作としては以上を繰り返すことによってメモリ手段７に映像情報が蓄積されていく。繰り返し回数が増加すると、メモリ手段７のメモリ容量をオーバーするときには、その旨の警告表示を表示手段によって警告する。
【０１５１】
さて、撮影者がプリント出力を所望した場合、プリント出力のモード設定をモード設定手段６によって行う。具体的にはプリント出力にはプリントアウトする画像の印刷面積の大中小を切り換えるサイズ設定ボタン１１５及びプリント枚数設定ボタン１１６を用いる。
【０１５２】
次に、メモリ手段７に取り込まれた画像情報を画像送りボタン１１０、画像戻りボタン１０９によって液晶表示板１１４を見ながら検索し、プリント出力したい画像情報を表示する（Ｓ８０）。
【０１５３】
ここで、プリントボタン１０３を押すと、プリント信号ＰＲ１１が入力し、制御手段１はプリント動作を開始する（Ｓ８１）。
【０１５４】
プリンタ制御部５は記録ヘッド（後述４００）のホームポジション位置でプリント動作をより有効にする為にまず予備吐出を行い、記録ヘッド４００の目づまりを解消したり蒸発しているノズルの回復等を行う（Ｓ８２）。
【０１５５】
次にプリンタ制御部５はメモリ手段７に蓄えられた映像情報をプリント出力用の画像処理を加えた上でプリンタエンジン部４から出力する（Ｓ８３）。
【０１５６】
プリンタエンジン部４でプリントされた印画済プリンタ用紙１０８はロール状に巻かれたプリンタ用紙３００と切り離される位置まで自動的に給紙される（Ｓ８４）。
【０１５７】
ここで、インク及びプリンタ用紙及び電源電池を含む消耗材カートリッジユニット１０２は内部に書き換え可能な出力枚数メモリ１４を有しておりプリント出力した枚数が記憶されている。制御手段１は消耗材カートリッジユニット１０２の出力枚数メモリ１４にプリント出力ごとに加算していく。これと共に出力後にプリンタ用紙の残量をチェックしてもしプリンタ用紙が無い場合には液晶表示板１１４に消耗材カートリッジユニット１０２の交換を促す警告表示を行う（Ｓ８５、Ｓ８６）。
【０１５８】
使用者は前記警告に従って消耗材カートリッジユニット１０２をカメラ本体部１０１から取りはずして新しい消耗材カートリッジユニット１０２に交換する。消耗材カートリッジユニット１０２の脱着はカートリッジ取りはずしボタン１１１を押すことでカメラ本体１０１と切り離すことができるようになっている。
【０１５９】
さて、新しい消耗材カートリッジユニット１０２が装着されると、ロック爪１１７の一部に形成されているロック解除部１２７がカメラ本体１０１のロックピン１２５をロックピンバネ１２９のバネ力に抗して押す（図７）。ロックレバー１２４はロックピン１２５が押されると係止状態が解放され、ロックバネ１２８によって引かれてスライドする。これによってロックレバーの爪部１２４−ａと消耗材カートリッジユニット１０２のロック爪１１７が係合して消耗材カートリッジユニット１０２がカメラ本体１０１に対して固定される。
【０１６０】
この時、ロックレバー１２４の端部が装着検出接点１２６をオンさせることで制御手段１は消耗材カートリッジユニット１０２の装着を検出する（Ｓ８７）。制御手段１は給紙用モータ６００へ通電してプリンタ用紙３００をカメラ本体１０１内部へ給紙する（Ｓ８８）。
【０１６１】
又、プリンタ制御部５を介して回復ポンピングの指示を行い、印画可能な状態に復活させる（Ｓ８９）。
【０１６２】
上述したように、図６は装置全体の上面及び側面の断面状態を表した断面図であり、主要な構成のみを表わしている。プリンタ付き撮影装置本体１０１は撮像ユニット８００から入力した画像情報を基板ユニット９００上に配設された回路によって処理され記録ヘッド４００によって印画される。
【０１６３】
一方、図２９は消耗材カートリッジユニット１０２の分解図である。これは、イエロー、マゼンタ、シアン、ブラックの４色のインクを収納したインクタンク５００と、ロール状に巻かれたプリンタ用紙３００と、プリンタ用紙３００と同軸上に配設された電源電池２００と、廃液吸収紙１６０を有している。出力枚数メモリ１４はメモリ基板１４５に乗って、カートリッジ上カバー１０２−ａに固定される。プリンタ用紙３００は軸中心部に電源電池２００を挿入した上で両側から軸受３００−ａ，３００−ｂをはめ込む。又、他の部分は図８にて説明した内容と同様である。又、消耗材カートリッジユニット１０２はこのような構成の為に回収後に再利用が可能になっている。
【０１６４】
次に、前述した回復ポンピングの構成について説明する。図３０はカメラ本体１０１内に具備されている回復ポンピングの構成概念図である。消耗材カートリッジユニット１０２が装着され、廃液吸収紙１６０が所定の位置へセットされると、制御手段１は消耗材カートリッジユニット１０２の装着検出接点１２６の信号を入力する。それと共に廃液吸収紙装着検出スイッチ１７０の信号の入力を確認し、確実に装着されている場合のみ回復ポンピング動作するように構成されている。
【０１６５】
廃液吸収紙１６０が装着されると、廃液排出ノズル１１３の圧着部１１３−ｂと密着する。圧着部１１３−ｂは圧着バネ１３９によって付勢され、確実に廃液吸収紙１６０と密着するようになっている。制御手段１は消耗材カートリッジユニット１０２の交換や、電源投入時等の前記フローチャートにおける各々のタイミングにおいて回復ポンピング動作を行う。
【０１６６】
制御手段１はプリンタ制御部５を介してプリンタエンジン部４を駆動し、具体的には給紙モータ６００からの駆動力を分割してアイドラギア１３２からピストンギア１３３へ動力を伝達する。ピストンギア１３３はスクリュー軸１３６と係合しており共に回転可能になっている。スクリュー軸１３６の溝部にはピストン弁１３５が係合しており、これらがシリンダ１３４の中を往復する。又、スクリュー軸１３６には、バネ性を有したレバー１４０が同軸上に配設され、ピストン弁１３５がＡからＢの方向へ動く時に反時計回りに摩擦を利用して回転し、中継レバー１４１を介してポンピングパッド１３１を押し上げて記録ヘッド４００に密着する。この時、シリンダ１３４内部はピストン弁１３５がＢ方向に移動することで内圧が低下し、ポンピングパッド１３１と記録ヘッド４００の密着部分もパットチューブ１３８を介して圧力が低下する。これにより記録ヘッド４００の内部のインクを吸い出して、シリンダ１３４内部に溜まる。
【０１６７】
次に、制御手段１はピストンギア１３３が逆回転するようにプリンタエンジン部４を制御する。ピストン弁１３５がＢからＡ方向に移動すると同時に、レバー１４０も時計回りに回転し、中継レバー１４１を介してポンピングパッド１３１も押し下げられて、大気圧に戻る。
【０１６８】
ピストン弁１３５はＡ→Ｂ方向でシリンダと密着し、Ｂ→Ａ方向ではシリンダとすきまができるようにゴム等の軟質な材料で構成してあり、Ａ方向へピストン弁１３５が戻ってくると吸引されたインクはピストン弁１３５の外側へ押し出される。
【０１６９】
その後、次の駆動によって再びＡ→Ｂ方向へピストン弁が移動すると、先ほどのインクは、更に押し出されて中継チューブ１３７を通って廃液排出ノズル１１３へ導きだされ、廃液吸収紙１６０の吸水力で、廃液吸収紙１６０へ移動する。このような吸引、排出の動作を数回連続して行うことで記録ヘッド４００内に固着しているインクや流路内に混入した空気等を取り除く。
【０１７０】
更に消耗材カートリッジユニット１０２の交換時には通常の回復ポンピング動作時よりも長くポンピングの為の吸引、排出動作を行う等、場合によってポンピングの回数を変化させるとより好ましい。
【０１７１】
（第８の実施形態）
図３１乃至図３２において本発明の第８の実施形態について説明する。なお、第６の実施形態と同じ動作をする個所については同じ符号を付して説明は省略する。
【０１７２】
本第８の実施形態のカートリッジユニットにおけるインクの廃液溜め手段は、カートリッジユニットの隙間に配設したもので、カートリッジユニットの容積を有効に使うことで小型化を計る例である。
【０１７３】
廃液吸収紙４０００は、消耗材カートリッジユニット１０２の外形に対してオフセットされた軸中心を持つプリンタ用紙３００と電源電池２００の下側の隙間にプリンタ用紙３００を逃げるように配設してある。
【０１７４】
このように配設することで、外装形状を保ちつつカートリッジ内部を有効に利用することが可能である。
【０１７５】
又、廃液吸収紙４０００端部には、廃液排出ノズル１１３からの廃インクを受ける部分形状４０００−ａが形成されている。これによって廃液排出ノズル１１３と廃液吸収紙４０００の位置関係は自由度高く設計できる。
【０１７６】
上記実施形態では、プリント用紙に印刷した残りの廃液処理について、特にカートリッジユニット内に収納したことを説明した。この廃液処理によって、装置本体のヘッドのプリント枚数を増加することができ、動作的にも長寿命で、撮影者の操作の煩わしさを防止できる。
【０１７７】
以下、本発明の実施形態による効果を説明する。インクカートリッジの着脱動作だけでカメラモードとプリントモードが切換えられるので、操作性が向上するという効果を有している。又各モードに応じて操作部材の機能が割り付けられるので操作部材を最小限の数に減らせるという効果を有し、かつ装置をより小型化しても操作性が良好であるという効果も有している。
【０１７８】
又、カメラモード時にはカートリッジユニットが不要であるので更に小型化が可能であるという効果も有している。
【０１７９】
又、電源電池を各々のモードに適した使用を行うことで、カメラモード時にはより小さな電源電池で済むと同時に、消費電力の大きいプリントモード時には大きな電源電池を使用するので効率が良いという効果を有している。
【０１８０】
又、装置本体側及びカートリッジユニット側の片方の電源電池の電力供給が不足する場合には、もう片方から電力供給されるので、動作途中で停止してしまうことがないという効果も有している。
【０１８１】
また、プリンタ付カメラに装着される脱着式のカートリッジ本体に少なくとも１色以上のインクを収納するインクタンクと、印画用記録紙を内蔵し、カートリッジ本体を装着するとインク及び印画用記録紙の供給がされるようにしている。これにより、プリント出力に必要な消耗材を一括で扱えるので１つ１つの残量を常に注意したり、別々に用意する必要がなく、操作性が良いという効果を有している。
【０１８２】
又、インクタンク部が装着されるとカートリッジ本体に対してインクタンク部が離脱するようにしたことで、記録ヘッドとインクタンク部が一体的に駆動するタイプであっても、他の消耗材と一括して扱える。これにより、多種の記録ヘッド部のタイプに対応できると共に、ユーザーはこれらの記録ヘッドのタイプを気にすることもなく扱いやすい操作性を得ることができるという効果を有している。
【０１８３】
又、記録ヘッド部とインクタンク部を一体に構成できることによって、インクタンク部の交換時にインク流路に浸入する空気を排出する回復ポンピングの為の作業が流路が短い分むだになるインクが少なく、要する時間も短いという効果も有している。
【０１８４】
又、プリンタ付撮影装置に、カートリッジが装着される検出部を設け、これに基づいてプリンタ付撮影装置を制御することで、装着に応じた動作をユーザーが行うことなく作業でき、操作性が良いという効果を有している。
【０１８５】
又、カートリッジ本体内部に電源電池を配設し、これを印画用記録紙軸中心部に配設又は交換可能にしたことで、電源電池を他の消耗材と一括して扱うことができ、更に操作性が向上するという効果を有する。又、交換可能にしたことで充電電池の使用も可能であるという効果も有する。又、軸中心部に配設したことで装置全体を小型化することが可能であるという効果も有する。
【０１８６】
さらに、プリンタ付撮影装置において、着脱可能なカートリッジユニットであって、少なくとも１色以上のインクタンクと手差し給紙部を有し、該手差し給紙部はプリンタ付撮影装置本体の用紙搬送部と対向して直線的に配設した。これにより、消耗品を一括したカートリッジユニットとして扱いながら、手差し用紙へのプリント出力を所望した時に手軽にプリント出力が行えるという効果を有している。
【０１８７】
又、プリント動作を行う用紙搬送部と対向して直線的に手差し用紙を挿入できるので、プリント出力したい用紙の紙質や紙厚等の影響を受けにくく、多種の用紙への出力が可能であるという効果も有している。
【０１８８】
又、プリンタ付撮影装置において、複数のカートリッジユニットの装着を識別する識別手段を有してこの信号に基づいて該プリンタ付撮影装置の用紙搬送及びプリント動作の制御を変更するようにした。これにより、カートリッジユニットを交換するだけで、そのカートリッジユニットに最も適した用紙の搬送やプリント動作を自動的に行えるので操作性が良いという効果を有している。
【０１８９】
又、多種のカートリッジが用意されていても撮影者に負担がかからないので、容易に用途に応じたカートリッジを提供することが可能であるという効果も有している。
【０１９０】
さらにまた、インクジェット記録方式のプリンタ装置を内蔵するプリンタ付カメラに装着される脱着可能なインクカートリッジユニットにおいて、インク廃液溜め手段を前記インクカートリッジユニット内部に配設している。これにより、吸引ポンピング動作によって排出された廃インク及び廃インクを溜める手段をカメラ本体に持つ必要がないので、カメラ本体を小型化できるという効果を有している。
【０１９１】
又、インクカートリッジユニットに廃液溜め手段があるので交換後に回収して新たな廃液溜め手段と交換することで再利用を可能にできるという効果も有している。
【０１９２】
又、インクカートリッジユニットに使用するインクの搭載量から廃インクの概算量が把握できるので、廃液溜め手段を最適な大きさにすることが可能となり、コストを適正にすることができるという効果も有している。
【０１９３】
又、プリンタ付撮影装置において、吸引ポンピング動作によって吸引された廃インクを溜める廃液溜め手段の装着状態を検出する検出手段を有し、この検出手段からの信号に基づいて、プリンタ付撮影装置を制御する制御手段を有する。これにより、インクカートリッジユニットの装着とは別に廃液溜め手段の装着状況を確認できる。よって、廃液溜め手段が何らかの不具合でカメラ本体側と密着していない場合に吸引ポンピング動作を行ってしまって廃液がもれてしまうといった不良を防ぐことができるという効果を有している。
【図面の簡単な説明】
【０１９４】
【図１】本発明による第１実施形態の構成ブロック図である。
【図２】本発明による第１実施形態のフローチャートである。
【図３】本発明による第１実施形態のフローチャートである。
【図４】本発明による第１実施形態の斜視図である。
【図５】本発明による第１実施形態の斜視図である。
【図６】本発明による第１実施形態の上面及び側面の中央断面図である。
【図７】本発明による第１実施形態の透視斜視図である。
【図８】本発明による第１実施形態の消耗材カートリッジユニット分解図である。
【図９】本発明による第２実施形態の構成ブロック図である。
【図１０】本発明による第２実施形態のフローチャートである。
【図１１】本発明による第２実施形態のフローチャートである。
【図１２】本発明による第３実施形態の中央断面図（上面）である。
【図１３】本発明による第３実施形態の消耗材カートリッジユニット分解図である。
【図１４】本発明による第４実施形態の斜視図である。
【図１５】本発明による第４実施形態の中央断面図（上面）である。
【図１６】本発明による第４実施形態の断面図（側面）である。
【図１７】本発明による第４実施形態のキャリッジ部詳細図である。
【図１８】本発明による第５実施形態のブロック図である。
【図１９】本発明による第５実施形態のフローチャートである。
【図２０】本発明による第５実施形態のフローチャートである。
【図２１】本発明による第５実施形態のフローチャートである。
【図２２】本発明による第５実施形態の中央断面図２（側面）である。
【図２３】本発明による第５実施形態の手差しカートリッジユニット分解図である。
【図２４】本発明による第６実施形態の中央断面図（側面）である。
【図２５】本発明による第６実施形態の手差しカートリッジユニット分解図である。
【図２６】本発明による第７実施形態の構成ブロック図である。
【図２７】本発明による第７実施形態のフローチャートである。
【図２８】本発明による第７実施形態のフローチャートである。
【図２９】本発明による第７実施形態の消耗材カートリッジユニット分解図である。
【図３０】本発明による第７実施形態の回復ポンピング構成図である。
【図３１】本発明による第８実施形態の消耗材カートリッジユニット分解図である。
【図３２】本発明による第８実施形態の中央断面図（側面）である。
【符号の説明】
【０１９５】
１ 制御手段
２ 撮像部
３ 撮像制御部
４ プリンタエンジン部
５ プリンタ制御部
６ モード切換手段（操作部材切換手段）
７ メモリ手段
８ 表示部
９ カートリッジ装着検出手段
１０，１１，１２，１３ 操作用スイッチ
１４ 出力枚数メモリ
１５ カートリッジ種類判別手段
１６ 廃液吸収紙検出手段
１０１ カメラ本体
１０２ 消耗材カートリッジユニット
１０４ ズームボタン（画像送りボタン）
１０５ 撮像レンズ
１０６ 光学ファインダー
１０７ プリント出口
１０８ 印画済プリンタ用紙
１１１ カートリッジ取りはずしボタン
１１２ シャッターボタン（プリントボタン）
１１３ 廃液排出ノズル
１１４ 液晶表示板
１１５ サイズ設定ボタン（ストロボ発光ボタン）
１１６ プリント枚数設定ボタン（撮影モード設定ボタン）
１１７ ロック爪
１１８ ロック爪穴
１１９ インク接続部
１２０ 電源端子
１２１ メモリ端子
１２２ 給紙ギア
１２３ 給紙口
１２４ ロックレバー
１２５ ロックピン
１２６ 装着検出接点
１２７ ロック解除部
１２８ ロックバネ
１２９ ロックピンバネ
１３０ 検出スイッチ
１３１ ポンピングパッド
１３２ アイドラギア
１３３ ピストンギア
１３４ シリンダ
１３５ ピストン弁
１３６ スクリュー軸
１３７ 中継チューブ
１３８ パットチューブ
１３９ 圧着バネ
１４０ レバー
１４１ 中継レバー
１４５ メモリ基板
１４９ 本体電池
１５０ 手差しカートリッジユニット
１５１ 紙検出スイッチ
１５２ 給送ギアａ
１５３ 給送ギアｂ
１５４ 給送ギアｃ
１５５ 給紙ローラーゴム
１５６ 押さえローラー
１５７ 給紙ローラー
１５８ 手差し給紙口
１５９ 葉書用紙
２００ 電源電池
３００ プリンタ用紙
４００ 記録ヘッド
５００ インクタンク
６００ 給紙モータ
７００ ヘッド駆動モータ
８００ 撮像ユニット
９００ 基板ユニット
２０００ 手差しカートリッジユニット
３０００ 消耗材カートリッジユニット
４０００ 廃液吸収紙
【図１】
2007196693.tif 000003
【図２】
2007196693.tif 000004
【図３】
2007196693.tif 000005
【図４】
2007196693.tif 000006
【図５】
2007196693.tif 000007
【図６】
2007196693.tif 000008
【図７】
2007196693.tif 000009
【図８】
2007196693.tif 000010
【図９】
2007196693.tif 000011
【図１０】
2007196693.tif 000012
【図１１】
2007196693.tif 000013
【図１２】
2007196693.tif 000014
【図１３】
2007196693.tif 000015
【図１４】
2007196693.tif 000016
【図１５】
2007196693.tif 000017
【図１６】
2007196693.tif 000018
【図１７】
2007196693.tif 000019
【図１８】
2007196693.tif 000020
【図１９】
2007196693.tif 000021
【図２０】
2007196693.tif 000022
【図２１】
2007196693.tif 000023
【図２２】
2007196693.tif 000024
【図２３】
2007196693.tif 000025
【図２４】
2007196693.tif 000026
【図２５】
2007196693.tif 000027
【図２６】
2007196693.tif 000028
【図２７】
2007196693.tif 000029
【図２８】
2007196693.tif 000030
【図２９】
2007196693.tif 000031
【図３０】
2007196693.tif 000032
【図３１】
2007196693.tif 000033
【図３２】
2007196693.tif 000034